(57)【要約】【課題】被搬送媒体を吸引しつつ搬送する際の斜行を簡易な手段で矯正することができる媒体搬送装置及びその媒体搬送装置を備えた記録装置を提供すること。【解決手段】被搬送媒体の幅方向に分割される複数の領域を独立可変に吸引可能な吸引手段２１６Ｌ、２１６Ｃ、２１６Ｒ、２１７Ｌ、２１７Ｃ、２１７Ｒと、当該吸引手段の前記被搬送媒体の搬送方向上流側に配置され、前記被搬送媒体の端部を検出する検出手段２１８とを備え、前記検出手段の検出データに基づいて前記被搬送媒体の斜行状態を判断し、斜行しているときは、当該斜行状態に応じて前記各領域の吸引力をそれぞれ制御して斜行を矯正する。これにより、既存の吸引手段と既存の検出手段を用いることができるので、簡易な構成の斜行矯正手段とすることができる。【選択図】図５
2007254107.tif 000002
【特許請求の範囲】
【請求項１】
被搬送媒体を吸引しつつ搬送する媒体搬送装置であって、
前記被搬送媒体の幅方向に分割される複数の領域を独立可変に吸引可能な吸引手段と、
当該吸引手段の前記被搬送媒体の搬送方向上流側に配置され、前記被搬送媒体の端部を検出する検出手段とを備え、
前記検出手段の検出データに基づいて前記被搬送媒体の斜行状態を判断し、斜行しているときは、当該斜行状態に応じて前記各領域の吸引力をそれぞれ制御して斜行を矯正するようにしたことを特徴とする媒体搬送装置。
【請求項２】
前記吸引手段は、複数の吸引室と、前記各吸引室に配置されたファンとを備えていることを特徴とする請求項１に記載の媒体搬送装置。
【請求項３】
前記吸引手段は、１つの吸引室と、前記吸引室を部分的に遮蔽するシャッタと、前記吸引室に配置された１つのファンとを備えていることを特徴とする請求項１に記載の媒体搬送装置。
【請求項４】
前記検出手段は、前記被搬送媒体の端部の搬送位置を検出することを特徴とする請求項１〜３の何れか一項に記載の媒体搬送装置。
【請求項５】
前記検出手段は、前記被搬送媒体の端部の搬送量を検出することを特徴とする請求項１〜３の何れか一項に記載の媒体搬送装置。
【請求項６】
被記録媒体に記録する記録装置であって、
請求項１〜５の何れか一項に記載の媒体搬送装置を備えたことを特徴とする記録装置。
【発明の詳細な説明】
【技術分野】
【０００１】
本発明は、被搬送媒体を吸引しつつ搬送する媒体搬送装置及びその媒体搬送装置を備えた記録装置に関する。
【背景技術】
【０００２】
媒体搬送装置を備えた記録装置の１つであるプリンタには、ロール状に巻回された用紙を吸引搬送しつつ記録することができる機能を有するものがある。このプリンタは、ロール紙がセットされるロール紙ホルダ、ロール紙を吸引搬送する吸引ファン及び紙送りローラ、ロール紙に記録する記録ヘッドを備えている。このようなプリンタでは、引出されるロール紙が斜行する場合があり、記録精度が低下するおそれがあるので、斜行矯正手段を設けてロール紙の斜行を矯正するようにしている（特許文献１参照）。
【０００３】
【特許文献１】特開平８−１１９５０４号公報
【発明の開示】
【発明が解決しようとする課題】
【０００４】
上述した従来のプリンタでは、斜行矯正手段の設置スペースを新たに確保する必要があるため、プリンタ自体が複雑・大型化するおそれがある。
【０００５】
本発明は、上記のような課題に鑑みなされたものであり、その目的は、被搬送媒体を吸引しつつ搬送する際の斜行を簡易な手段で矯正することができる媒体搬送装置及びその媒体搬送装置を備えた記録装置を提供することにある。
【課題を解決するための手段】
【０００６】
上記目的達成のため、本発明の媒体搬送装置では、被搬送媒体を吸引しつつ搬送する媒体搬送装置であって、前記被搬送媒体の幅方向に分割される複数の領域を独立可変に吸引可能な吸引手段と、当該吸引手段の前記被搬送媒体の搬送方向上流側に配置され、前記被搬送媒体の端部を検出する検出手段とを備え、前記検出手段の検出データに基づいて前記被搬送媒体の斜行状態を判断し、斜行しているときは、当該斜行状態に応じて前記各領域の吸引力をそれぞれ制御して斜行を矯正するようにしたことを特徴としている。これにより、既存の吸引手段と既存の検出手段を用いることができるので、簡易な構成の斜行矯正手段とすることができる。
【０００７】
前記吸引手段は、複数の吸引室と、前記各吸引室に配置されたファンとを備えていることを特徴としている。また、前記吸引手段は、１つの吸引室と、前記吸引室を部分的に遮蔽するシャッタと、前記吸引室に配置された１つのファンとを備えていることを特徴としている。これにより、被搬送媒体の一部のみを吸引することができるので、その吸引部分を支点として被搬送媒体を回転させて斜行を矯正することができる。
【０００８】
前記検出手段は、前記被搬送媒体の端部の搬送位置を検出することを特徴としている。また、前記検出手段は、前記被搬送媒体の端部の搬送量を検出することを特徴としている。これにより、被搬送媒体の斜行量を求めることができるので、被搬送媒体の斜行を正確に矯正することができる。また、上記目的達成のため、本発明の被記録媒体に記録する記録装置では、上記各媒体搬送装置を備えたことを特徴としている。これにより、上記各作用を奏する記録装置を提供することができる。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の実施の形態に係る記録装置の１つであるプリンタの構成例を示す斜視図、図２は、そのプリンタの主要部の内部構成例を示す斜視図、図３は、そのプリンタの概略断面側面図、図４は、その主要部を示す平面図である。図１及び図２に示すプリンタ１００は、例えばＪＩＳ規格のＡ０判やＪＩＳ規格のＢ０判といった比較的大型のサイズの記録用紙（被搬送媒体、被記録媒体）にまで記録できる大型のインクジェット式プリンタであり、給紙部１１０、記録部１２０及び本発明の特徴的な部分を含む搬送部（媒体搬送装置）２１０、排紙部１３０、脚部１４０がこの順で上部から配設された構成となっている。そして、記録部１２０及び搬送部２１０を制御する制御部２００が内蔵されている。給紙部１１０は一体化された記録部１２０及び搬送部２１０と排紙部１３０に対して分離可能に構成されており、これらはプリンタ本体として構成されている。そして、このプリンタ本体は脚部１４０に対して分離可能に構成されている。
【００１１】
給紙部１１０は、図１に示すように、記録部１２０の上部後方に突き出るように設けられている。そして、給紙部１１０の内部には、図２に示すように、２本のロール紙（記録用紙）がセット可能なロール紙ホルダ１１１が斜め上下に設けられ、給紙部１１０の前面には、図１及び図２に示すように、跳ね上げ式の開閉可能なロール紙カバー１１２がロール紙ホルダ１１１を覆うように取り付けられている。このロール紙カバー１１２により、ロール紙の汚染を防止することができると共に、ユーザの安全を確保することができる。
【００１２】
ロール紙ホルダ１１１は、図２に示すように、ロール紙を保持するスピンドル１１３と、給紙部１１０の両側壁内面に取り付けられて、スピンドル１１３の着脱及び懸架が可能な一対のスピンドル受け１１４、１１５を備えている。そして、スピンドル１１３は、中央にロール紙が装着された後、両端がスピンドル受け１１４、１１５に装着され、回転可能に軸支持されるようになっている。ロール紙カバー１１２は、図１及び図２に示すように、上部が回動可能に支持されており、下部を持って持ち上げ、あるいは押し下げることにより開閉するようになっている。ユーザは、ロール紙カバー１１２の開閉を容易に行うことができ、ロール紙の交換作時間等を短縮させることができる。
【００１３】
記録部１２０は、図２に示すように、記録ヘッド１２１を搭載したキャリッジ１２２、記録ヘッド１２１と記録を実行する為の図示しない制御部とを接続するフレキシブルフラットケーブル（以下、ＦＦＣという）１２３、記録ヘッド１２１とインクが入った図示しないインクカートリッジとをつなぐインクチューブ１２４、ロール紙の浮き上がりを防止する図示しない紙吸引手段等を備えている。そして、記録部１２０の上面及び前面には、図１及び図２に示すように、上蓋１２５及び前蓋１２６が記録ヘッド１２１やキャリッジ１２２等を覆うように取り付けられている。
【００１４】
記録ヘッド１２１は、ブラックインクを吐出するブラックインク用記録ヘッドと、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１５】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。このキャリッジ１２２は、例えばフォトディテクタ等を備えており、搬送されてくる用紙の幅等を検知することができるようになっている。
【００１６】
ＦＦＣ１２３は、一端が制御部のコネクタに接続され、他端が記録ヘッド１２１のコネクタに接続されており、記録信号を制御部から記録ヘッド１２１に送るようになっている。インクチューブ１２４は、各色のインク用が配設されており、図示しないインク加圧供給手段を介して各一端が対応する各色のインクカートリッジにつながれ、各他端が対応する各色の記録ヘッド１２１につながれている。そして、インクチューブ１２４は、インク加圧供給手段によって加圧された各色のインクをインクカートリッジから記録ヘッド１２１に送るようになっている。
【００１７】
上蓋１２５は、後部が回動可能に支持されており、前部を持って押し上げ、あるいは押し下げることにより開閉するようになっている。前蓋１２６は、図１及び図２に示すように、下部が回動可能に支持されており、上部を持って押し下げ、あるいは押し上げることにより開閉するようになっている。ユーザは、上蓋１２５や前蓋１２６を開放することにより、それらの開放口を通して内部機構のメンテナンス作業等を行うことができる。
【００１８】
排紙部１３０は、図１及び図２に示すように、ロール紙を副走査方向に搬送する経路の一部を成す排紙ガイド１３１と、ロール紙を副走査方向に搬送する図示しない排紙ローラを備えている。排紙ガイド１３１の表面は、用紙搬送面として作用する。また、排紙部１３０の前面側から見て右側には、図１及び図２に示すように、インクカートリッジを収納保持するカートリッジホルダ１５０が配設されている。
【００１９】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部にプリンタ本体１１０、１２０、１３０が載置されネジ止め固定されるようになっている。ユーザは、プリンタ１００のメンテナンス等のために背面側を見たいときや、プリンタ１００の設置場所を変更したいときに、コロ１４１によりプリンタ１００を容易に移動させることができる。
【００２０】
制御部２００は、図３に示すように、プリンタコントローラを構成する図示しないメイン基板を備えている。このメイン基板は、図示しないＣＰＵ、ＲＯＭ、ＲＡＭ、ＡＳＩＣ等の制御素子や記憶素子、及びその他の各種回路素子が装着されている。そして、プリントエンジンを構成する給紙部１１０、記録部１２０、搬送部２１０等を制御するようになっている。
【００２１】
搬送部２１０は、図３に示すように、給紙部１１０から記録部１２０にかけて配設された平坦な給紙ガイド２１１、対向配置された接触・離間可能な紙送りローラ２１２及び従動ローラ２１３、キャリッジ１２２に搭載された記録ヘッド１２１と対向配置された平坦なプラテン２１４、記録部１２０から排紙部１３０にかけて配設された平坦な紙吸引部２１５を備えている。そして、プラテン２１４と紙吸引部２１５の背面側には、紙吸引室２１６が形成されており、この紙吸引室（吸引手段）２１６の底面にはファン（吸引手段）２１７が配設されている。更に、キャリッジ１２２には、搬送されてくるロール紙の端部を検出する紙端検出センサ（検出手段）２１８が取り付けられている。
【００２２】
給紙ガイド２１１の表面は、用紙搬送面として作用する。プラテン２１４及び紙吸引部２１５の各表面は、用紙搬送面及び用紙吸引面として作用する。即ち、図４に示すように、プラテン２１４は、主走査方向に交互に複数並設された吸引口２１４ａとリブ２１４ｂを備えており、図３に示すように、内部に配設されたファン２１７により外気が各吸引口２１４ａから吸引されることにより、プラテン２１４上を搬送されるロール紙を吸着するようになっている。従って、記録時において特にロール紙の幅が広くてもロール紙はプラテン２１４上で全幅にわたって確実に吸引されて略平坦になるので、記録精度を高精度に維持することができる。
【００２３】
また、図４に示すように、紙吸引部２１５は、主走査方向に複数並設され、副走査方向に３列配設された吸引口２１５ａ、２１５ｂ、２１５ｃを備えている。主走査方向の吸引口２１５ｂ、２１５ｃ間には、副走査方向に延びるリブ２１５ｄが形成されている。そして、図３に示すように、内部に配設されたファン２１７により外気が各吸引口２１５ａ、２１５ｂ、２１５ｃから吸引されることにより、紙吸引部２１５上を搬送されるロール紙を吸着するようになっている。
【００２４】
更に、図４に示すように、プラテン２１４と紙吸引部２１５との間には隙間Ｃが設けられており、図３に示すように、内部に配設されたファン２１７により外気が隙間Ｃから吸引されることにより、隙間Ｃ上を搬送されるロール紙を吸着するようになっている。従って、記録時においてプラテン２１４と紙吸引部２１５との間でもロール紙は吸引されてプラテン２１４でより略平坦になるので、記録精度をさらに高精度に維持することができる。尚、プラテン２１４に吸引口２１４ａを設けてロール紙を吸引し、あるいはプラテン２１４と紙吸引部２１５との間に隙間Ｃを設けてロール紙を吸引する何れか一方のみを設けても同様の効果を奏する。
【００２５】
尚、プラテン２１４は、ロール紙の幅方向のサイズに対応させて分割、例えば４インチの幅で７つに分割され、各分割部にはインク打捨て溝穴２１９が形成され、各インク打ち捨て溝穴２１９内には例えばスポンジや不織布等のインク吸収材２１９ａが配設されている。このように、プラテン２１４を分割し各分割部にインク打捨て溝穴２１９を形成してインク吸収材２１９ａを配設することにより、ロール紙全面に記録する縁無し記録の際に、全サイズのロール紙に対してはみ出たインクを吸収して回収することができるため、記録ヘッド１２１やロール紙の汚染を防止することができる。
【００２６】
図５は、上記紙吸引室２１６と上記ファン２１７の配設状態を示す平面図である。紙吸引室２１６は、ロール紙の幅方向（主走査方向）に仕切り壁２１６ａを介して３つの分割紙吸引室（吸引手段）２１６Ｌ、２１６Ｃ、２１６Ｒに分割されている。そして、分割紙吸引室２１６Ｌ、２１６Ｃ、２１６Ｒの底部には、ファン（吸引手段）２１７Ｌ、２１７Ｃ、２１７Ｒがそれぞれ配設されている。このように紙吸引室２１６を分割してファン２１７をそれぞれ配設することにより、ロール紙の斜行を矯正することができる。この矯正方法について更に図を参照して以下説明する。
【００２７】
図６は、ロール紙の矯正方法を説明するための図である。紙端検出センサ２１８は、ロール紙Ｒが正常に搬送されているときのロール紙Ｒの図示右端部の搬送位置Ｐ１を検出し、その検出信号を制御部２００のＲＡＭに格納する。そして、ロール紙Ｒが斜行して搬送されたら、紙端検出センサ２１８は、ロール紙Ｒの図示右端部の搬送位置Ｐ２を検出し、その検出信号を制御部２００のＲＡＭに格納する。制御部２００のＣＰＵは、ＲＡＭから読み出したロール紙Ｒの正常搬送時と斜行搬送時の搬送位置差ΔＰ（＝Ｐ２−Ｐ１）を求める。
【００２８】
ここで、制御部２００のＲＯＭには、例えば搬送位置差ΔＰを０に修正するための搬送位置差ΔＰに対応した各ファン２１７Ｌ、２１７Ｃ、２１７Ｒの回転数がテーブル化されて記憶されている。そこで、制御部２００のＣＰＵは、求めた搬送位置差ΔＰに対応する各ファン２１７Ｌ、２１７Ｃ、２１７Ｒの回転数を読み出して、各ファン２１７Ｌ、２１７Ｃ、２１７Ｒの制御信号を送出して制御する。例えばロール紙Ｒが図示するように右方向に斜行したときは、中央のファン２１７Ｃの回転数はそのままで、左右のファン２１７Ｌ、２１７Ｒの回転数が下がると共に、右側のファン２１７Ｒの回転数が左側のファン２１７Ｌの回転数より小さくなるように制御される。これにより、ロール紙Ｒに掛かる吸引力は、中央が最大で、かつ右側が左側より小さくなるので、ロール紙Ｒは中央を中心に右回転することになり、右方向の斜行を矯正することができる。
【００２９】
尚、紙端検出センサ２１８がロール紙Ｒの図示右端部の搬送位置を常時監視するようにすれば、上記テーブルを不要とすることができる。即ち、紙端検出センサ２１８からの検出信号を確認しながら各ファン２１７Ｌ、２１７Ｃ、２１７Ｒへ適宜な制御信号を送出して、ロール紙Ｒが斜行したときのロール紙Ｒの図示右端部の搬送位置Ｐ２を、ロール紙Ｒが正常のときのロール紙Ｒの図示右端部の搬送位置Ｐ１に近付けていくことにより、ロール紙Ｒの斜行を矯正することができる。
【００３０】
図７は、ロール紙の別の矯正方法を説明するための図である。紙端検出センサ２１８は、ロール紙Ｒが正常に搬送されているときのロール紙Ｒの図示右端部の搬送量Ｌ１を検出し、その検出信号を制御部２００のＲＡＭに格納する。そして、ロール紙Ｒが斜行して搬送されたら、紙端検出センサ２１８は、ロール紙Ｒの図示右端部の搬送量Ｌ２を検出し、その検出信号を制御部２００のＲＡＭに格納する。制御部２００のＣＰＵは、ＲＡＭから読み出したロール紙Ｒの正常搬送時と斜行搬送時の搬送量Ｌ１、Ｌ２から斜行角度θ（＝ｃｏｓ-1(Ｌ１／Ｌ２)）を求める。
【００３１】
ここで、制御部２００のＲＯＭには、例えば斜行角度θを０に修正するための斜行角度θに対応した各ファン２１７Ｌ、２１７Ｃ、２１７Ｒの回転数がテーブル化されて記憶されている。そこで、制御部２００のＣＰＵは、求めた斜行角度θに対応する各ファン２１７Ｌ、２１７Ｃ、２１７Ｒの回転数を読み出して、各ファン２１７Ｌ、２１７Ｃ、２１７Ｒの制御信号を送出して制御する。例えばロール紙Ｒが図示するように右方向に斜行したときは、中央のファン２１７Ｃの回転数はそのままで、左右のファン２１７Ｌ、２１７Ｒの回転数が下がると共に、右側のファン２１７Ｒの回転数が左側のファン２１７Ｌの回転数より小さくなるように制御される。これにより、ロール紙Ｒに掛かる吸引力は、中央が最大で、かつ右側が左側より小さくなるので、ロール紙Ｒは中央を中心に右回転することになり、右方向の斜行を矯正することができる。
【００３２】
尚、紙端検出センサ２１８がロール紙Ｒの図示右端部の搬送位置を常時監視するようにすれば、上記テーブルを不要とすることができる。即ち、紙端検出センサ２１８からの検出信号を確認しながら各ファン２１７Ｌ、２１７Ｃ、２１７Ｒへ適宜な制御信号を送出して、ロール紙Ｒが斜行したときのロール紙Ｒの図示右端部の搬送量Ｌ２を、ロール紙Ｒが正常のときのロール紙Ｒの図示右端部の搬送量Ｌ１に近づけていくことにより、ロール紙Ｒの斜行を矯正することができる。
【００３３】
図８（Ａ）、（Ｂ）は、紙吸引室とファンの別例の配設状態を示す平面図及びＡ―Ａ線断面図である。この紙吸引室（吸引手段）２２６は、上空間部がロール紙の幅方向に仕切り壁２２６ａを介して３つの分割紙吸引室（吸引手段）２２６Ｌ、２２６Ｃ、２２６Ｒに分割されているが、下空間部２２６ｂは開放されており、各分割紙吸引室２２６Ｌ、２２６Ｃ、２２６Ｒは下空間部２２６ｂで繋がっている。そして、下空間部２２６ｂの底部には、１つのファン（吸引手段）２２７のみが配設されている。
【００３４】
更に、仕切り壁２２６ａの下端２２６ａａに沿って図示矢印ａ方向に図示しない駆動手段により往復移動自在なシャッタ２２７Ｌ、２２７Ｃ、２２７Ｒが設けられており、各分割紙吸引室２２６Ｌ、２２６Ｃ、２２６Ｒと下空間部２２６ｂとをそれぞれ独立して区画できるようになっている。このような構成によっても、シャッタ２２７Ｌ、２２７Ｃ、２２７Ｒの開閉状態を調整することにより、図５に示す紙吸引室２１６及びファン２１７と同様の作用を発揮させることができ、ロール紙の斜行を上述した同様の方法で矯正することができる。
【００３５】
尚、上述した実施形態では、紙吸引室２１６、２２６を３等分割して分割紙吸引室２１６Ｌ、２１６Ｃ、２１６Ｒ、２２６Ｌ、２２６Ｃ、２２６Ｒとしたが、これに限定されるものでは無く、任意の数、大きさの分割紙吸引室に分割しても良い。また、各分割紙吸引室２１６Ｌ、２１６Ｃ、２１６Ｒにそれぞれ同一能力の１つのファン２１７Ｌ、２１７Ｃ、２１７Ｒを配設し、もしくは分割紙吸引室２２６Ｌ、２２６Ｃ、２２６Ｒに１つのファン２２７を配設するようにしたが、これに限定されるものでは無く、任意の数、能力のファンを配設しても良い。
【産業上の利用可能性】
【００３６】
媒体搬送装置を備えた記録装置であれば、例えばファクシミリ装置、コピー装置等であっても適用可能である。
【図面の簡単な説明】
【００３７】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの概略断面側面図である。
【図４】図３の主要部を示す平面図である。
【図５】図１のプリンタの紙吸引室とファンの配設状態を示す平面図である。
【図６】ロール紙の矯正方法を説明するための図である。
【図７】ロール紙の別の矯正方法を説明するための図である。
【図８】図１のプリンタの紙吸引室とファンの別例の配設状態を示す平面図である。
【符号の説明】
【００３８】
１００  インクジェット式プリンタ、１１０  給紙部、１２０  記録部、１３０  排紙部、１４０  脚部、１５０  インクカートリッジホルダ、２００  制御部、２１０  搬送部、２１２  紙送りローラ、２１３  従動ローラ、２１４  プラテン、２１５  紙吸引部、２１４ａ、２１５ａ、２１５ｂ、２１５ｃ  吸引口、２１４ｂ、２１５ｄ  リブ、２１６、２２６  紙吸引室、２１６ａ、２２６ａ  仕切り壁、２１６Ｌ、２１６Ｃ、２１６Ｒ、２２６Ｌ、２２６Ｃ、２２６Ｒ  分割紙吸引室、２１７、２１７Ｌ、２１７Ｃ、２１７Ｒ、２２７  ファン、２１８  紙端検出センサ
【図１】
2007254107.tif 000003
【図２】
2007254107.tif 000004
【図３】
2007254107.tif 000005
【図４】
2007254107.tif 000006
【図５】
2007254107.tif 000007
【図６】
2007254107.tif 000008
【図７】
2007254107.tif 000009
【図８】
2007254107.tif 000010